【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】
IL-3受容体、IL-5受容体およびGM-CSF受容体の共通サブユニットをコードする核酸配列に対する、喘息、アレルギー、過好酸球増加症、炎症、または増殖因子感受性の癌を治療および／または予防するためのアンチセンスオリゴヌクレオチド。
【請求項２】
受容体をコードする核酸配列が、IL-3受容体、IL-5受容体およびGM-CSF受容体の共通βサブユニットをコードする核酸である、請求項１に記載のオリゴヌクレオチド。
【請求項３】
SEQ ID NO:9、SEQ ID NO:10、SEQ ID NO:11、SEQ ID NO:12、SEQ ID NO:13、SEQ ID NO:14、SEQ ID NO:15、およびSEQ ID NO:16からなる群から選択される配列を有する、請求項１に記載のオリゴヌクレオチド。
【請求項４】
請求項1〜3のいずれか1項に定義した少なくとも一つのアンチセンスオリゴヌクレオチドを、医薬的に許容可能な担体と共同して含む、喘息、アレルギー、過好酸球増加症、炎症、または増殖因子感受性の癌を治療および／または予防するための医薬組成物。
【請求項５】
喘息、アレルギー、過好酸球増加症、炎症、または増殖因子感受性の癌を治療および／または予防するための医薬の製造のための、請求項1〜3のいずれか1項に定義したオリゴヌクレオチドの使用。
【請求項６】
喘息、アレルギー、過好酸球増加症、炎症、または増殖因子感受性の癌を治療および／または予防するための医薬の製造のための、請求項4に定義した医薬組成物の使用。
【請求項７】
IL-3受容体、IL-5受容体およびGM-CSF受容体の共通サブユニットをコードする核酸に対する少なくとも一つのオリゴヌクレオチド、およびIL-4受容体およびIL-13受容体の共通サブユニットをコードする核酸に対する少なくとも一つのオリゴヌクレオチドを含む、医薬組成物。
【請求項８】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択される、請求項7に記載の医薬組成物。
【請求項９】
IL-4受容体およびIL-13受容体の共通サブユニットをコードする核酸に対する少なくとも一つのオリゴヌクレオチドが、SEQ ID NO:1、SEQ ID NO:2、SEQ ID NO:3、SEQ ID NO:4、SEQ ID NO:5、SEQ ID NO:6、およびSEQ ID NO:7として示されるオリゴヌクレオチドからなる群から選択される、請求項7に記載の医薬組成物。
【請求項１０】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択され、そしてIL-4受容体およびIL-13受容体の共通サブユニットをコードする核酸に対する少なくとも一つのオリゴヌクレオチドが、SEQ ID NO:1、SEQ ID NO:2、SEQ ID NO:3、SEQ ID NO:4、SEQ ID NO:5、SEQ ID NO:6、およびSEQ ID NO:7として示されるオリゴヌクレオチドからなる群から選択される、請求項7に記載の医薬組成物。
【請求項１１】
CCR3受容体をコードする核酸に対する少なくとも一つのオリゴヌクレオチドをさらに含む、請求項7に記載の医薬組成物。
【請求項１２】
CCR3受容体をコードする核酸に対する少なくとも一つのオリゴヌクレオチドが、SEQ ID NO:18、SEQ ID NO:20、SEQ ID NO:22、およびSEQ ID NO:23として示されるオリゴヌクレオチドからなる群から選択される、請求項11に記載の医薬組成物。
【請求項１３】
IL-3受容体、IL-5受容体およびGM-CSF受容体の共通サブユニットをコードする核酸に対する少なくとも一つのオリゴヌクレオチド、およびCCR3受容体をコードする核酸に対する少なくとも一つのオリゴヌクレオチドを含む、医薬組成物。
【請求項１４】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16からなる群から選択される、請求項13に記載の医薬組成物。
【請求項１５】
CCR3受容体をコードする核酸に対する少なくとも一つのオリゴヌクレオチドが、SEQ ID NO:18、SEQ ID NO:20、SEQ ID NO:22、およびSEQ ID NO:23として示されるオリゴヌクレオチドからなる群から選択される、請求項13に記載の医薬組成物。
【請求項１６】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択され、そしてCCR3受容体をコードする核酸に対する少なくとも一つのオリゴヌクレオチドが、SEQ ID NO:18、SEQ ID NO:20、SEQ ID NO:22、およびSEQ ID NO:23として示されるオリゴヌクレオチドからなる群から選択される、請求項13に記載の医薬組成物。
【請求項１７】
喘息、アレルギー、過好酸球増加症、炎症、または増殖因子感受性の癌を治療および／または予防するための医薬の製造のための、請求項7に定義した医薬組成物の使用。
【請求項１８】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択される、請求項17に記載の使用。
【請求項１９】
IL-4受容体およびIL-13受容体の共通サブユニットをコードする核酸に対する少なくとも一つのオリゴヌクレオチドが、SEQ ID NO:1、SEQ ID NO:2、SEQ ID NO:3、SEQ ID NO:4、SEQ ID NO:5、SEQ ID NO:6、およびSEQ ID NO:7として示されるオリゴヌクレオチドからなる群から選択される、請求項17に記載の使用。
【請求項２０】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択され、そしてIL-4受容体およびIL-13受容体の共通サブユニットをコードする核酸に対する少なくとも一つのオリゴヌクレオチドが、SEQ ID NO:1、SEQ ID NO:2、SEQ ID NO:3、SEQ ID NO:4、SEQ ID NO:5、SEQ ID NO:6、およびSEQ ID NO:7として示されるオリゴヌクレオチドからなる群から選択される、請求項17に記載の使用。
【請求項２１】
喘息、アレルギー、過好酸球増加症、炎症、または増殖因子感受性の癌を治療および／または予防するための医薬の製造のための、請求項11に定義した医薬組成物の使用。
【請求項２２】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択される、請求項21に記載の使用。
【請求項２３】
IL-4受容体およびIL-13受容体の共通サブユニットをコードする核酸に対する少なくとも一つのオリゴヌクレオチドが、SEQ ID NO:1、SEQ ID NO:2、SEQ ID NO:3、SEQ ID NO:4、SEQ ID NO:5、SEQ ID NO:6、およびSEQ ID NO:7として示されるオリゴヌクレオチドからなる群から選択される、請求項21に記載の使用。
【請求項２４】
CCR3受容体をコードする核酸に対する少なくとも一つのオリゴヌクレオチドが、SEQ ID NO:18、SEQ ID NO:20、SEQ ID NO:22、およびSEQ ID NO:23として示されるオリゴヌクレオチドからなる群から選択される、請求項21に記載の使用。
【請求項２５】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択され、IL-4受容体およびIL-13受容体の共通サブユニットをコードする核酸に対する少なくとも一つのオリゴヌクレオチドが、SEQ ID NO:1、SEQ ID NO:2、SEQ ID NO:3、SEQ ID NO:4、SEQ ID NO:5、SEQ ID NO:6、およびSEQ ID NO:7として示されるオリゴヌクレオチドからなる群から選択され、そしてCCR3受容体をコードする核酸に対する少なくとも一つのオリゴヌクレオチドが、SEQ ID NO:18、SEQ ID NO:20、SEQ ID NO:22、およびSEQ ID NO:23として示されるオリゴヌクレオチドからなる群から選択される、請求項21に記載の使用。
【請求項２６】
喘息、アレルギー、過好酸球増加症、炎症、または増殖因子感受性の癌を治療および／または予防するための医薬の製造のための、請求項13に定義した医薬組成物の使用。
【請求項２７】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択される、請求項26に記載の使用。
【請求項２８】
CCR3受容体をコードする核酸に対する少なくとも一つのオリゴヌクレオチドが、SEQ ID NO:18、SEQ ID NO:20、SEQ ID NO:22、およびSEQ ID NO:23として示されるオリゴヌクレオチドからなる群から選択される、請求項26に記載の使用。
【請求項２９】
IL-3受容体、IL-5受容体およびGM-CSF受容体の共通サブユニットをコードする核酸に対する少なくとも一つのオリゴヌクレオチドが、SEQ ID NO:9、SEQ ID NO:10、SEQ ID NO:11、SEQ ID NO:12、SEQ ID NO:13、SEQ ID NO:14、SEQ ID NO:15、およびSEQ ID NO:16として示されるオリゴヌクレオチドからなる群から選択され、そしてCCR3受容体をコードする核酸に対する少なくとも一つのオリゴヌクレオチドが、SEQ ID NO:18、SEQ ID NO:20、SEQ ID NO:22、およびSEQ ID NO:23として示されるオリゴヌクレオチドからなる群から選択される、請求項26に記載の使用。